(57)【要約】【課題】シートが起立状態から後倒状態に変化した際に空調風が乗員の身体の一部に集中的に吹き出されることを抑制可能な自動車用空調システムおよび自動車用空調システムの制御装置を提供する。【解決手段】自動車用空調システムは、乗員が着座するためのシート１１が車室内に設置された自動車１に適用される。自動車用空調システムは、空調風を生成する空調機器２０、車室内の天井部分から空調風を吹き出す吹出口３０、空調風の吹出範囲を調整する吹出調整機構４０、吹出調整機構４０を駆動する駆動部５０、駆動部５０を制御する制御装置７０を含んでいる。制御装置７０は、シート１１の起立状態における空調風の吹出範囲が所定範囲内である場合にシート１１が起立状態から後倒状態に変化すると、空調風の吹出範囲が自動車１の前後方向ＤＲ１に拡大して所定範囲よりも大きくなるように駆動部５０を制御する。【選択図】図１
2020044995.tif 000002
【特許請求の範囲】
【請求項１】
乗員が着座するためのシート（１１）が車室内に設置された自動車（１）に適用される自動車用空調システムであって、
空調風を生成する空調機器（２０）と、
前記車室内の天井部分（１０２）に開口して前記空調機器で生成された空調風を前記車室内に吹き出す吹出口（３０、３０Ａ）と、
前記吹出口から吹き出される空調風の吹出範囲を調整する吹出調整機構（４０、４０Ａ、４０Ｂ）と、
前記吹出調整機構を駆動する駆動部（５０）と、
前記駆動部を制御する制御装置（７０）と、を備え、
前記シートは、乗員の下半身を支えるシートクッション部（１１１）、乗員の上半身を支えるシートバック部（１１２）を含み、前記シートバック部が起立した起立状態から前記起立状態よりも前記シートバック部が後方に傾斜した後倒状態に変化させることが可能に構成されており、
前記制御装置は、前記起立状態における前記吹出範囲が所定範囲内である場合に前記起立状態から前記後倒状態に変化すると、前記吹出範囲が前記自動車の前後方向に拡大して前記所定範囲よりも大きくなるように前記駆動部を制御する自動車用空調システム。
【請求項２】
前記吹出調整機構（４０）は、前記吹出口から吹き出される空調風の拡がり幅を前記前後方向に調整可能な構成になっており、
前記制御装置は、前記起立状態における前記吹出範囲が前記所定範囲内である場合に前記起立状態から前記後倒状態に変化すると、空調風の拡がり幅を前記前後方向に拡大して前記吹出範囲が前記所定範囲よりも大きくなるように前記駆動部を制御する請求項１に記載の自動車用空調システム。
【請求項３】
前記吹出調整機構（４０Ａ）は、前記吹出口から吹き出される空調風の風向を前記前後方向に揺動させることが可能な構成になっており、
前記制御装置は、前記起立状態における前記吹出範囲が前記所定範囲内である場合に前記起立状態から前記後倒状態に変化すると、空調風の揺動幅を前記前後方向に拡大して前記吹出範囲が前記所定範囲よりも大きくなるように前記駆動部を制御する請求項１または２に記載の自動車用空調システム。
【請求項４】
前記制御装置は、前記起立状態における前記吹出範囲が前記所定範囲内である場合に前記起立状態から前記後倒状態に変化すると、前記吹出範囲が前記所定範囲内となるように空調風を揺動させる場合に比べて空調風の揺動周期が長くなるように前記駆動部を制御する請求項３に記載の自動車用空調システム。
【請求項５】
前記吹出口（３０Ａ）は、少なくとも前記前後方向に位置する前壁面（３１）および後壁面（３２）を有し、前記前壁面および前記後壁面の間隔が空調風の流れ下流に向かって拡大されている請求項２または３に記載の自動車用空調システム。
【請求項６】
前記吹出調整機構（４０Ｂ）は、前記吹出口の開口面積を調整可能に構成されており、
前記制御装置は、前記起立状態における前記吹出範囲が前記所定範囲内である場合に前記起立状態から前記後倒状態に変化すると、前記開口面積を前記前後方向に拡大して前記吹出範囲が前記所定範囲よりも大きくなるように前記駆動部を制御する請求項１ないし５のいずれか１つに記載の自動車用空調システム。
【請求項７】
前記制御装置は、前記起立状態における前記吹出範囲が前記所定範囲内である場合に前記起立状態から前記後倒状態に変化すると、前記後倒状態に変化する前に比べて前記吹出口から吹き出す空調風の吹出風量が減少するように前記空調機器を制御する請求項１ないし６のいずれか１つに記載の自動車用空調システム。
【請求項８】
前記制御装置は、前記起立状態における前記吹出範囲が前記所定範囲内である場合に前記起立状態から前記後倒状態に変化すると、前記後倒状態に変化する前に比べて、前記吹出口から吹き出す空調風の吹出温度が上昇するように前記空調機器を制御する請求項１ないし７のいずれか１つに記載の自動車用空調システム。
【請求項９】
乗員が着座するためのシート（１１）が車室内に設置された自動車（１）に適用される自動車用空調システムの制御装置であって、
前記シートの状態に関する情報を取得する取得部（７０ｃ）と、
前記取得部で取得した情報に基づいて制御信号を出力する出力部（７０ｄ）と、を備え、
前記自動車用空調システムは、空調風を生成する空調機器（２０）、前記車室内の天井部分に開口して前記空調機器で生成された空調風を前記車室内に吹き出す吹出口（３０、３０Ａ）、前記吹出口から吹き出される空調風の吹出範囲を調整する吹出調整機構（４０、４０Ａ、４０Ｂ）、前記吹出調整機構を駆動する駆動部（５０）を含んで構成されており、
前記シートは、乗員の下半身を支えるシートクッション部（１１１）、乗員の上半身を支えるシートバック部（１１２）を含み、前記シートバック部が起立した起立状態から前記起立状態よりも前記シートバック部が後方に傾斜した後倒状態に変化させることが可能に構成されており、
前記取得部は、前記起立状態から前記後倒状態への変化を示す後倒情報を取得可能に構成され、
前記出力部は、前記起立状態における前記吹出範囲が所定範囲内である場合に前記取得部で前記後倒情報が取得されると、前記吹出範囲が前記自動車の前後方向に拡大して前記所定範囲よりも大きくさせることを指示する制御信号を前記駆動部に出力する制御装置。
【発明の詳細な説明】
【技術分野】
【０００１】
本開示は、自動車用空調システム、および自動車用空調システムの制御装置に関する。
【背景技術】
【０００２】
従来、シートに着座した乗員の頭部上方に空調風の吹出口を設け、当該吹出口から乗員の頭部側から足元側に向けて空調風を吹き出す座席用空調装置が知られている（例えば、特許文献１参照）。
【先行技術文献】
【特許文献】
【０００３】
【特許文献１】特許第３２８４７１０号
【発明の概要】
【発明が解決しようとする課題】
【０００４】
上述の特許文献１では、シートのシートバック部が上方に向けて起立した起立状態で乗員の頭部に向けて空調風を吹き出すことについて記載されているだけで、起立状態よりもシートバック部が後方に傾斜した後倒状態になった場合について何ら考慮されていない。
【０００５】
シートが起立状態になっているときに乗員の頭部へ空調風が当たるように吹出口の位置や向きを設定された場合、シートが起立状態から後倒状態に変化すると、空調風が乗員の身体の一部（例えば、腰付近）に集中的に吹き出されてしまうことになる。
【０００６】
乗員がシートを起立状態から後倒状態に変化させるような状況は、乗員が休憩や仮眠を希望している状況と考えられる。このような状況で、空調風が乗員の身体の狭い範囲に集中的に吹き出されると、乗員がリラックスして休憩や仮眠をとることができなくなってしまう。このことは、本発明者らの鋭意検討の末に見出された課題である。
【０００７】
本開示は、シートが起立状態から後倒状態に変化した際に空調風が乗員の身体の一部に集中的に吹き出されることを抑制可能な自動車用空調システムおよび自動車用空調システムの制御装置を提供することを目的とする。
【課題を解決するための手段】
【０００８】
請求項１に記載の発明は、
乗員が着座するためのシート（１１）が車室内に設置された自動車（１）に適用される自動車用空調システムであって、
空調風を生成する空調機器（２０）と、
車室内の天井部分（１０２）に開口して空調機器で生成された空調風を車室内に吹き出す吹出口（３０）と、
吹出口から吹き出される空調風の吹出範囲を調整する吹出調整機構（４０、４０Ａ、４０Ｂ）と、
吹出調整機構を駆動する駆動部（５０）と、
駆動部を制御する制御装置（７０）と、を備え、
シートは、乗員の下半身を支えるシートクッション部（１１１）、乗員の上半身を支えるシートバック部（１１２）を含み、シートバック部が起立した起立状態から起立状態よりもシートバック部が後方に傾斜した後倒状態に変化させることが可能に構成されており、
制御装置は、起立状態における吹出範囲が所定範囲内である場合に起立状態から後倒状態に変化すると、吹出範囲が自動車の前後方向に拡大して所定範囲よりも大きくなるように駆動部を制御する。
【０００９】
請求項９に記載の発明は、
乗員が着座するためのシート（１１）が車室内に設置された自動車（１）に適用される自動車用空調システムの制御装置であって、
シートの状態に関する情報を取得する取得部（７０ｃ）と、
取得部で取得した情報に基づいて制御信号を出力する出力部（７０ｄ）と、を備え、
自動車用空調システムは、空調風を生成する空調機器（２０）、車室内の天井部分に開口して空調機器で生成された空調風を車室内に吹き出す吹出口（３０）、吹出口から吹き出される空調風の吹出範囲を調整する吹出調整機構（４０、４０Ａ、４０Ｂ）、吹出調整機構を駆動する駆動部（５０）を含んで構成されており、
シートは、乗員の下半身を支えるシートクッション部（１１１）、乗員の上半身を支えるシートバック部（１１２）を含み、シートバック部が起立した起立状態から起立状態よりもシートバック部が後方に傾斜した後倒状態に変化させることが可能に構成されており、
取得部は、起立状態から後倒状態への変化を示す後倒情報を取得可能に構成され、
出力部は、起立状態における吹出範囲が所定範囲内である場合に取得部で後倒情報が取得されると、吹出範囲が自動車の前後方向に拡大して所定範囲よりも大きくさせることを指示する制御信号を駆動部に出力する。
【００１０】
これらによれば、シートの起立状態における空調風の吹出範囲が所定範囲内の狭い範囲である場合にシートが後倒状態に変化すると、吹出範囲が自動車の前後方向に拡大して所定範囲よりも大きくなる。このため、シートが起立状態から後倒状態に変化した際に、天井部分に設けられた吹出口から吹き出される空調風が乗員の身体の広い範囲に当たり易くなる。
【００１１】
したがって、本開示の自動車用空調システムおよび制御装置によれば、シートが起立状態から後倒状態に変化した際に空調風が乗員の身体の一部に集中的に吹き出されることが抑制可能になる。この結果、シートに着座した乗員にリラックス効果を付与することが可能になる。
【００１２】
なお、各構成要素等に付された括弧付きの参照符号は、その構成要素等と後述する実施形態に記載の具体的な構成要素等との対応関係の一例を示すものである。
【図面の簡単な説明】
【００１３】
【図１】第１実施形態に係る自動車用空調システムが適用される自動車において、シートの状態が起立状態にあるときの模式図である。
【図２】第１実施形態に係る自動車用空調システムが適用される自動車において、シートの状態が後倒状態にあるときの模式図である。
【図３】第１実施形態に係る自動車用空調システムの吹出調整機構における通常吹出モード時の状態を示す模式図である。
【図４】第１実施形態に係る自動車用空調システムにおいて、通常吹出モード時の空調風の吹出範囲の一例を説明するための説明図である。
【図５】第１実施形態に係る自動車用空調システムの吹出調整機構におけるスポット吹出モード時の状態を示す模式図である。
【図６】第１実施形態に係る自動車用空調システムにおいて、スポット吹出モード時の空調風の吹出範囲の一例を説明するための説明図である。
【図７】第１実施形態に係る自動車用空調システムの吹出調整機構における拡散吹出モード時の状態を示す模式図である。
【図８】第１実施形態に係る自動車用空調システムにおいて、拡散吹出モード時の空調風の吹出範囲の一例を説明するための説明図である。
【図９】第１実施形態に係る自動車用空調システムの制御装置の模式的なブロック図である。
【図１０】第１実施形態に係る自動車用空調システムの制御装置が実行する制御処理の流れの一例を示すフローチャートである。
【図１１】第１実施形態に係る自動車用空調システムにおいて、シートが起立状態にあるときの空調風の吹出範囲の一例を説明するための説明図である。
【図１２】第１実施形態に係る自動車用空調システムにおいて、シートが後倒状態にあるときの空調風の吹出範囲の一例を説明するための説明図である。
【図１３】第１実施形態に係る自動車用空調システムにおいて、シートが起立状態から後倒状態に変化した際に生じ得る空調風の圧力損失を説明するための説明図である。
【図１４】第１実施形態の第１変形例に係る自動車用空調システムの吹出口の形状を示す模式図である。
【図１５】第１実施形態の第２変形例に係る自動車用空調システムの吹出口の配置を示す模式図である。
【図１６】第１実施形態の第３変形例に係る自動車用空調システムの吹出口の配置を示す模式図である。
【図１７】第２実施形態に係る自動車用空調システムの吹出調整機構を示す模式図である。
【図１８】第２実施形態に係る自動車用空調システムの吹出調整機構にて空調風の吹出範囲を狭くしたときの状態を示す模式図である。
【図１９】第２実施形態に係る自動車用空調システムにおいて、シートが起立状態にあるときの空調風の吹出範囲の一例を説明するための説明図である。
【図２０】第２実施形態に係る自動車用空調システムの吹出調整機構にて空調風の吹出範囲を広くしたときの状態を示す模式図である。
【図２１】第２実施形態に係る自動車用空調システムにおいて、シートが後倒状態にあるときの空調風の吹出範囲の一例を説明するための説明図である。
【図２２】第２実施形態に係る自動車用空調システムの制御装置が実行する制御処理の流れの一例を示すフローチャートである。
【図２３】第１実施形態に係る自動車用空調システムにおいて、シートが後倒状態にあるときの空調風の吹出範囲の一例を説明するための説明図である。
【図２４】第３実施形態に係る自動車用空調システムの吹出口であって、空調風の吹出範囲を狭くしたときの状態を説明するための説明図である。
【図２５】第３実施形態に係る自動車用空調システムの吹出口であって、空調風の吹出範囲を広くしたときの開口面積を説明するための説明図である。
【発明を実施するための形態】
【００１４】
以下、本開示の実施形態について図面を参照して説明する。なお、以下の実施形態において、先行する実施形態で説明した事項と同一もしくは均等である部分には、同一の参照符号を付し、その説明を省略する場合がある。また、実施形態において、構成要素の一部だけを説明している場合、構成要素の他の部分に関しては、先行する実施形態において説明した構成要素を適用することができる。以下の実施形態は、特に組み合わせに支障が生じない範囲であれば、特に明示していない場合であっても、各実施形態同士を部分的に組み合わせることができる。
【００１５】
（第１実施形態）
本実施形態について、図１〜図１２を参照して説明する。本実施形態の自動車用空調システムは、自動車１の車室内を空調するシステムである。自動車用空調システムが適用される自動車１は、乗員が主体となって運転操作を行うものに加えて、加速、操舵、制動等の少なくとも一部を自動運転システムが乗員の代わりに行う自動運転車を含んでいる。
【００１６】
まず、自動車１について説明すると、自動車１は、図１および図２に示すように、車室内の上方部分を覆う天井部材１０、乗員が着座するためのシート１１、シート１１の状態を検出するシート状態検出部１２を備えている。なお、図１、図２等に示す前後を示す矢印は、自動車１における前後方向ＤＲ１を示している。また、図１、図２等に示す上下を示す矢印は、自動車１における上下方向ＤＲ２を示している。
【００１７】
天井部材１０は、自動車１の屋根を構成する部材である。天井部材１０は、フロントピラーＰａ、センタピラーＰｂ、リアピラーによって支持されている。具体的には、天井部材１０は、ボディを構成する外装材であるルーフパネル１０１、内装材であってルーフパネル１０１の内側面全体を覆うルーフトリム１０２を含んで構成されている。本実施形態では、ルーフトリム１０２によって車室内の天井部分が構成されている。
【００１８】
シート１１は、車室内に設置されている。シート１１は、乗員の下半身（例えば、臀部）を支持するシートクッション部１１１、乗員の上半身（例えば、背中部分）を支持するシートバック部１１２、乗員の頭部を支持するヘッドレスト１１３を有している。
【００１９】
シート１１は、車室内の床面に対して前後方向ＤＲ１にスライド移動させることが可能に構成されている。すなわち、シート１１には、シートクッション部１１１の前後方向ＤＲ１の位置を調整する図示しない位置調整機構が設けられている。
【００２０】
また、シート１１は、シートクッション部１１１に対してシートバック部１１２が起立した起立状態から起立状態よりもシートバック部１１２が後方に傾斜した後倒状態に変化させることが可能に構成されている。すなわち、シート１１には、シートクッション部１１１に対するシートバック部１１２の角度（すなわち、リクライニング角度）を調整する角度調整機構が設けられている。なお、図１では、シート１１として、運転手が着座するドライバシートを例示しているが、これに限定されない。シート１１は、リクライング角度が調整可能なものであれば、パッセンジャシート、リアシート等であってもよい。
【００２１】
シート状態検出部１２は、シート１１の状態を検出するものであって、シート１１の状態が起立状態および後倒状態のいずれであるかを検出可能に構成されている。具体的には、シート状態検出部１２は、リクライニング角度を検出する角度センサ１２１で構成されている。
【００２２】
続いて、自動車用空調システムついて説明すると、自動車用空調システムは、図１に示すように、空調機器２０、吹出口３０、吹出調整機構４０、駆動部５０、制御装置７０を含んで構成されている。
【００２３】
空調機器２０は、車室外の空気または車室内の空気を吸い込んで車室内へ吹き出す空調風を生成する機器である。空調機器２０は、図示しないが、車室内の後部を空調するリア空調機器で構成されている。空調機器２０は、例えば、自動車１の後方側における内装材と外装材との間に配置されている。なお、空調機器２０は、リア空調機器に限らず、例えば、シート空調機器またはフロント空調機器で構成されていたり、他の空調機器から独立した専用の機器として構成されていたりしてもよい。
【００２４】
空調機器２０は、外殻を構成する空調ケース２１を備え、当該空調ケース２１の内側に気流を発生させる送風機２２、送風機２２で生じた気流の温度を調整する温度調整機器２３等が収容されている。なお、温度調整機器２３は、エバポレータ等の冷却器、ヒータコア等の加熱器で構成されている。
【００２５】
送風機２２は、図示しないが、ファンを電動モータによって駆動する電動送風機で構成されている。送風機２２は、後述する制御装置７０からの制御信号に応じて空調風の吹出風量を変更可能に構成されている。
【００２６】
温度調整機器２３は、図示しないが、エバポレータ等の冷却器、ヒータコア等の加熱器、冷却器を通過させる空気と加熱器を通過させる空気の風量割合を調整して空調風の温度を調整する温度調整部で構成されている。温度調整機器２３は、後述する制御装置７０からの制御信号に応じて生成される空調風の吹出温度を変更可能に構成されている。
【００２７】
このように本実施形態の空調機器２０は、空調風の吹出風量および吹出温度を変更可能に構成されている。空調機器２０は、空調ケース２１に対して空調風を車室内に導く空調ダクト２４が接続されている。これにより、空調機器２０にて生成された空調風は、空調ダクト２４を介して車室内に導かれる。
【００２８】
吹出口３０は、空調機器２０で生成された空調風を車室内へ吹き出すための開口部である。吹出口３０は、空調ダクト２４の空気流れ下流側に接続されている。吹出口３０は、シート１１に着座した乗員に向けて空調風が吹き出されるように車室内の天井部分に開口している。具体的には、吹出口３０は、乗員の頭頂部付近から下方に向けて空調風が吹き出されるように、車室内の天井部分を構成するルーフトリム１０２のうち、上下方向ＤＲ２においてシートバック部１１２と重なり合う領域に設定されている。
【００２９】
吹出調整機構４０は、吹出口３０に設けられ、吹出口３０から吹き出される空調風の吹出範囲を調整するものである。具体的には、吹出調整機構４０は、複数の羽根板４１１を有するルーバ４１およびルーバ４１の角度を調整する図示しないルーバ調整部を含んで構成されている。吹出調整機構４０は、ルーバ調整部によってルーバ４１の角度を変更することで、吹出口３０から吹き出される空調風の風向を前後方向ＤＲ１に調整可能になっている。また、吹出調整機構４０は、ルーバ調整部によってルーバ４１の角度を変更することで、吹出口３０から吹き出される空調風の拡がり幅を前後方向ＤＲ１に調整可能になっている。
【００３０】
駆動部５０は、吹出調整機構４０を駆動するアクチュエータである。駆動部５０は、ルーバ４１に接続され、ルーバ４１を任意の角度に調整し、保持することが可能である。駆動部５０は、制御装置７０からの制御信号に応じてその作動が制御される電動アクチュエータで構成されている。
【００３１】
自動車空調システムは、吹出調整機構４０のルーバ４１の角度を変更することで、吹出口３０から吹き出す空調風の吹出モードを変更可能になっている。本実施形態の自動車空調システムは、吹出モードを通常吹出モード、スポット吹出モード、拡散吹出モードに変更可能になっている。
【００３２】
通常吹出モードは、吹出口３０からの空調風がシートバック部１１２に沿って流れてシートクッション部１１１の全体に当たるように空調風の吹出範囲が設定される吹出モードである。通常吹出モード時には、例えば、図３に示すように、複数の羽根板４１１の板面が上下方向ＤＲ２に沿って延びるようにルーバ４１の角度が設定される。この例では、吹出口３０付近における前後方向ＤＲ１の吹出範囲ＢＲ１が、吹出口３０の前後方向ＤＲ１の開口幅と同等となる。通常吹出モード時には、例えば、図４に示すように、吹出口３０からの空調風が起立状態のシート１１に着座した乗員の身体の前面部分全体に当たる。なお、図３に示すルーバ４１の角度は、一例であって、図３とは異なる角度に設定されていてもよい。
【００３３】
スポット吹出モードは、吹出口３０からの空調風がシートクッション部１１１の一部にあたるように空調風の吹出範囲が通常吹出モード時に比べて狭い範囲に設定される吹出モードである。スポット吹出モード時には、例えば、図５に示すように、前方側の羽根板４１１が上端よりも下端が後方側に位置し、後方側の羽根板４１１が下端よりも上端が後方側に位置するようにルーバ４１の角度が設定される。この例では、吹出口３０付近における前後方向ＤＲ１の吹出範囲ＢＲ２が通常吹出モード時の吹出範囲ＢＲ１に比べて狭くなる。スポット吹出モード時には、例えば、図６に示すように、吹出口３０からの空調風が、起立状態のシート１１に着座した乗員の身体の前面部分における局所部位（例えば、大腿部）に当たる。なお、図５に示すルーバ４１の角度は、一例であって、図５とは異なる角度に設定されていてもよい。
【００３４】
拡散吹出モードは、吹出口３０からの空調風の一部がシートクッション部１１１の前方およびシートバック部１１２の後方にも流れるように空調風の吹出範囲が通常吹出モード時に比べて広い範囲に設定される吹出モードである。拡散吹出モード時には、例えば、図７に示すように、前方側の羽根板４１１が下端よりも上端が後方側に位置し、後方側の羽根板４１１が上端よりも下端が後方側に位置するようにルーバ４１の角度が設定される。この例では、吹出口３０付近における前後方向ＤＲ１の吹出範囲ＢＲ３が通常吹出モード時の吹出範囲ＢＲ１に比べて拡大する。拡散吹出モード時には、例えば、図８に示すように、吹出口３０からの空調風の一部が起立状態のシート１１に着座した乗員の身体の前面部分全体に当たり、残りが乗員の身体に当たらないように流れる。なお、図７に示すルーバ４１の角度は、一例であって、図７とは異なる角度に設定されていてもよい。
【００３５】
このように、本実施形態の自動車空調システムは、吹出モードを通常吹出モード、スポット吹出モード、拡散吹出モードに切り替えることで、空調風の吹出範囲を変更可能になっている。
【００３６】
続いて、自動車用空調システムの制御装置７０について図９を参照して説明する。図９に示すように、制御装置７０は、プロセッサ７０ａ、記憶部７０ｂ、入力部７０ｃ、出力部７０ｄを含むコンピュータと、その周辺回路で構成されている。なお、制御装置７０の記憶部７０ｂは、非遷移的実体的記憶媒体で構成される。
【００３７】
制御装置７０の入力部７０ｃには、シート状態検出部１２等の各種検出部が接続されている。入力部７０ｃは、シート状態検出部１２が接続されていることで、シート１１の起立状態から後倒状態への変化を示す後倒情報を取得可能になっている。本実施形態では、入力部７０ｃがシート１１の状態に関する情報を取得する取得部を構成している。
【００３８】
また、図示しないが、入力部７０ｃには、空調機器２０の運転スイッチ、車室内の設定温度を決定するための温度設定スイッチ等が設けられた操作パネルが接続されている。制御装置７０には、入力部７０ｃを介して操作パネルの設定情報が入力される。
【００３９】
制御装置７０の出力部７０ｄには、空調機器２０、吹出調整機構４０を駆動する駆動部５０等の各種制御対象機器が接続されている。出力部７０ｄは、入力部７０ｃで取得した情報に基づいて各種制御対象機器に対して制御信号を出力する。
【００４０】
制御装置７０は、入力部７０ｃで取得した情報を記憶部７０ｂに記憶された制御プログラムに従ってプロセッサ７０ａで演算することで、各種制御対象機器の制御信号を決定する。制御装置７０は、プロセッサ７０ａで決定した制御信号を出力部７０ｄから各種制御対象機器に出力する。
【００４１】
次に、制御装置７０が実行する制御処理について図１０を参照して説明する。図１０に示す制御処理は、例えば、自動車１のイグニッションスイッチまたはスタートスイッチがオンされた状態で空調機器２０の運転スイッチがオンされると、制御装置７０によって所定の周期で実行される。
【００４２】
図１０に示すように、制御装置７０は、ステップＳ１０にて、吹出口３０から吹き出される空調風の吹出範囲が所定範囲内であるか否かを判定する。所定範囲は、シート１１が起立状態になっている状態において乗員の身体の前面部分全体に向けて空調風を吹き出す範囲に設定されている。所定範囲は、吹出調整機構４０にて調整可能な吹出範囲の最大範囲未満となる狭い範囲である。例えば、所定範囲は、通常吹出モード時の吹出範囲と同等の範囲に設定することができる。
【００４３】
ステップＳ１０の判定処理の結果、空調風の吹出範囲が所定範囲を超えている場合、制御装置７０は、ステップＳ１２にて、空調風の吹出範囲、吹出風量、吹出温度を現状の状態に維持する。すなわち、制御装置７０の出力部７０ｄは、空調風の吹出範囲を現状の状態に維持することを示す制御信号を駆動部５０に出力する。また、出力部７０ｄは、空調風の吹出風量および吹出温度を現状の状態に維持することを示す制御信号を空調機器２０に出力する。
【００４４】
一方、ステップＳ１０の判定処理の結果、空調風の吹出範囲が所定範囲内である場合、制御装置７０は、ステップＳ１４にて、シート状態検出部１２の検出結果に基づいてシート１１が後倒状態であるか否かを判定する。具体的には、制御装置７０は、シート状態検出部１２にて検出されるリクライニング角度が後倒状態を示す角度であるか否かを判定する。すなわち、制御装置７０は、入力部７０ｃでシート状態検出部１２を構成する角度センサ１２１からシート１１に関する情報を取得し、取得された情報が起立状態から後倒状態への変化を示す後倒情報であるか否かを判定する。
【００４５】
ステップＳ１４の判定処理の結果、シート１１が後倒状態ではなく起立状態である場合、制御装置７０は、ステップＳ１２に移行して、空調風の吹出範囲、吹出風量、吹出温度を現状の状態に維持する。例えば、吹出モードが通常吹出モードに設定されている場合、制御装置７０は、空調風の吹出範囲を通常吹出モード時の吹出範囲に維持する。この場合、空調風は、図１１に示すように、起立状態のシート１１に着座した乗員の身体の前面部分全体に当たる。
【００４６】
ここで、空調風の吹出範囲が所定範囲内である場合に、シート１１が起立状態から後倒状態に変化すると、乗員の身体が前後方向ＤＲ１に伸びることで、空調風が乗員の身体の一部（例えば、腰付近）に集中的に吹き出されてしまう。
【００４７】
シート１１を起立状態から後倒状態に変化させるような状況は、乗員が休息や仮眠を希望している状況が多い。このため、シート１１が後倒状態となる状況で空調風が乗員の身体の一部に集中的に吹き出されると、乗員がリラックスして休憩や仮眠をとることができなくなってしまう。
【００４８】
そこで、制御装置７０は、空調風の吹出範囲が所定範囲内、且つ、シート１１が後倒状態である場合、空調風の吹出範囲を所定範囲よりも拡大させる。すなわち、ステップＳ１４の判定処理の結果、シート１１が後倒状態である場合、制御装置７０は、ステップＳ１６にて、空調風の吹出範囲を所定範囲よりも拡大させる。換言すれば、制御装置７０の出力部７０ｄは、入力部７０ｃで後倒情報が取得されると、空調風の吹出範囲を前後方向ＤＲ１に拡大させることを指示する制御信号を駆動部５０に出力する。
【００４９】
例えば、制御装置７０は、シート１１が起立状態から後倒状態に変化すると、空調風の吹出モードが通常吹出モードまたはスポット吹出モードから拡散吹出モードに変更されるように駆動部５０を制御する。
【００５０】
加えて、制御装置７０は、シート１１が起立状態から後倒状態に変化すると、後倒状態に変化する前に比べて空調風の吹出風量が減少（例えば、２０％減少）するように空調機器２０を制御する。すなわち、制御装置７０の出力部７０ｄは、入力部７０ｃで後倒情報が取得されると、空調風の吹出風量を減少させることを示す制御信号を空調機器２０に出力する。
【００５１】
さらに、制御装置７０は、シート１１が起立状態から後倒状態に変化すると、後倒状態に変化する前に比べて空調風の吹出温度が上昇（例えば、１〜３℃上昇）するように空調機器２０を制御する。すなわち、制御装置７０の出力部７０ｄは、入力部７０ｃで後倒情報が取得されると、空調風の吹出温度を上昇させることを示す制御信号を空調機器２０に出力する。
【００５２】
これらによると、空調風は、図１２に示すように、後倒状態のシート１１に着座した乗員の身体の前面部分全体に当たる。すなわち、シート１１が起立状態から後倒状態に変化した際に、天井部分に設けられた吹出口３０から吹き出される空調風が乗員の身体の広い範囲に当たる。
【００５３】
以上説明したように、本実施形態の自動車用空調システムでは、シート１１の起立状態における空調風の吹出範囲が所定範囲内の狭い範囲である場合にシート１１が後倒状態に変化すると、空調風の吹出範囲が前後方向ＤＲ１に拡大する。
【００５４】
これによると、シート１１が起立状態から後倒状態に変化した際に、天井部分に設けられた吹出口３０から吹き出される空調風が乗員の身体の広い範囲に当たり易くなる。すなわち、本実施形態の自動車用空調システムによれば、シート１１が起立状態から後倒状態に変化した際に空調風が乗員の身体の一部に集中的に吹き出されることを抑制可能になる。この結果、シート１１に着座した乗員にリラックス効果を付与することが可能になる。
【００５５】
具体的には、制御装置７０は、シート１１の起立状態における空調風の吹出範囲が所定範囲内である場合にシート１１が後倒状態に変化すると、後倒状態に変化する前に比べて、空調風の拡がり幅が前後方向ＤＲ１に拡大するように駆動部５０を制御する。これによれば、シート１１が後倒状態になると、吹出調整機構４０によって空調風の拡がり幅が前後方向ＤＲ１に拡大することで、吹出口３０から吹き出される空調風が乗員の身体の広い範囲に当たり易くなる。
【００５６】
また、本実施形態の制御装置７０は、シート１１の起立状態における吹出範囲が所定範囲内である場合にシート１１が後倒状態に変化すると、後倒状態に変化する前に比べて吹出口３０から吹き出す空調風の風量が減少するように空調機器２０を制御する。これによれば、シート１１が後倒状態に変化すると、心地のよい微風量の空調風が乗員の身体に当たることになるので、後倒状態のシート１１に着座した乗員に対してリラックス効果を適切に付与し易くなる。
【００５７】
加えて、吹出口３０が自動車１の天井部分に設けられているので、シート１１が後倒状態になると乗員と吹出口３０との距離が大きくなり易い。このため、吹出口３０からの空調風が勢いよく乗員の身体に当たってしまうことが抑制される。すなわち、本実施形態の自動車用空調システムでは、シート１１が後倒状態になると、心地の良い風圧の空調風が乗員の身体に当たり易くなる。
【００５８】
さらに、本実施形態の制御装置７０は、シート１１の起立状態における吹出範囲が所定範囲内である場合にシート１１が後倒状態に変化すると、後倒状態に変化する前に比べて、吹出口３０から吹き出す空調風の温度が上昇するように空調機器２０を制御する。これによれば、シート１１が後倒状態に変化すると、心地のよい弱冷風が空調風として乗員の身体に当たることになるので、後倒状態のシート１１に着座した乗員に対してリラックス効果を適切に付与し易くなる。
【００５９】
ここで、本実施形態は、上述の自動車空調システムとしての発明に限らず、自動車空調システムの制御装置７０の発明と捉えることが可能である。制御装置７０の発明は、上述の自動車空調システムの発明と同様の作用効果が得られる。このことは、以降の実施形態においても同様である。
【００６０】
（第１実施形態の第１変形例）
上述の第１実施形態の吹出口３０は、図１３に示すように、自動車１の前後方向ＤＲ１に位置する前壁面３１および後壁面３２がルーバ４１との関係について特に考慮せずに、単に上下方向ＤＲ２に延びている。
【００６１】
このような吹出口３０では、例えば、拡散吹出モード時に、前壁面３１と前壁面３１に近いルーバ４１の羽根板４１１との間隔が狭まるとともに、後壁面３２と後壁面３２に近いルーバ４１の羽根板４１１との間隔が狭まることで、空調風の圧力損失が増大する。このため、シート１１が起立状態から前記後倒状態に変化した際に吹出口３０に生ずる空調風の圧力損失が増大することになる。吹出口３０において空調風の圧力損失が増大することは、空調効率の低下を招く要因となる。なお、図１３に示す吹出口３０では、一点鎖線で囲む箇所で空調風の圧力損失が増大し易い。
【００６２】
このため、吹出口３０Ａは、例えば、図１４に示すように、シート１１が後倒状態に変化した際に生じ得る空調風の圧力損失が抑制されるように、前壁面３１Ａおよび後壁面３２Ａの間隔が空調風の流れ下流に向かって拡大される構造になっていることが望ましい。これによると、シート１１が起立状態から後倒状態に変化した際の空調風の圧力損失が抑制されることで、乗員に対して効率のよい空調を提供することが可能となる。
【００６３】
（第１実施形態の第２変形例）
上述の第１実施形態では、吹出口３０がルーフトリム１０２のうち、上下方向ＤＲ２においてシートバック部１１２と重なり合う領域に設定されたものを例示したがこれに限定されない。
【００６４】
吹出口３０は、シート１１に着座した乗員に向けて空調風を吹き出すことが可能な位置であれば、ルーフトリム１０２のうち、シートバック部１１２と重なり合う領域から自動車１の幅方向にずれた位置に形成されていてもよい。
【００６５】
具体的には、吹出口３０は、図１５に示すように、ルーフトリム１０２のうち、乗降ドアＤに付設されるサイドウィンドＷｓの上方部分に形成されていてもよい。例えば、吹出口３０は、ルーフトリム１０２のうち、乗員の乗降をアシストするハンドルの設置位置付近に形成されていてもよい。
【００６６】
このように、吹出口３０がルーフトリム１０２のうちサイドウィンドＷｓの上方部分に形成されている場合、乗員の身体のうち日射の影響を受けやすい部位に対して空調風を当て易くなることで、乗員の快適性を確保し易くなる。
【００６７】
（第１実施形態の第３変形例）
また、吹出口３０は、シート１１に着座した乗員に向けて空調風を吹き出すことが可能な位置であれば、ルーフトリム１０２のうち、シートバック部１１２と重なり合う領域から自動車１の前後方向ＤＲ１にずれた位置に形成されていてもよい。
【００６８】
具体的には、吹出口３０は、図１６に示すように、ルーフトリム１０２のうち、フロントウィンドＷｆの上方部分に形成されていてもよい。例えば、吹出口３０は、ルーフトリム１０２のうち、フロントウィンドＷｆから入射する光が乗員の目を保護するサンバイザの設置位置付近に形成されていてもよい。
【００６９】
このように、吹出口３０がルーフトリム１０２のうちフロントウィンドＷｆの上方部分に形成されている場合、乗員の顔部分以外の部位に空調風を当て易くなることで、乗員の快適性を確保し易くなる。
【００７０】
（第２実施形態）
次に、第２実施形態について、図１７〜図２３を参照して説明する。本実施形態では、吹出調整機構４０Ａが空調風を前後方向ＤＲ１に揺動可能に構成されている点が第１実施形態と相違している。本実施形態では、第１実施形態と異なる部分について主に説明し、第１実施形態と同様の部分について説明を省略することがある。
【００７１】
吹出調整機構４０Ａは、空調風の風向を前後方向ＤＲ１に揺動させることが可能に構成されている。すなわち、吹出調整機構４０Ａは、図１７に示すように、ルーバ４１の羽根板４１１の角度を周期的に変更することで、空調風の風向を前後方向ＤＲ１に揺動させることが可能になっている。
【００７２】
このように構成される吹出調整機構４０Ａは、ルーバ４１による空調風の揺動幅を変更することで、吹出口３０から吹き出す空調風の吹出範囲を変更することが可能になっている。なお、揺動幅は、吹出調整機構４０Ａによって空調風を揺れ動かす際の振幅である。
【００７３】
具体的には、図１８に示すように、吹出調整機構４０Ａは、空調風の吹出範囲が所定範囲内となるように、ルーバ４１を小角度θ１となる範囲で揺動させることが可能になっている。以下、ルーバ４１の角度を周期的に変更して空調風を揺動させることで空調風の吹出範囲を所定範囲内とする吹出モードを通常揺動モードと呼ぶ。
【００７４】
通常揺動モード時の空調風の吹出範囲は、通常吹出モード時の吹出範囲と同等の範囲になっている。通常揺動モード時には、吹出口３０からの空調風が揺動することで、例えば、図１９に示すように、起立状態のシート１１に着座した乗員の身体の前面部分全体に当たる。なお、図１８に示すルーバ４１の揺動幅は、一例であって、図１８とは異なる揺動幅に設定されていてもよい。
【００７５】
また、図２０に示すように、吹出調整機構４０Ａは、空調風の吹出範囲が所定範囲よりも大きくなるように、ルーバ４１を小角度θ１よりも大きい大角度θ２となる範囲で揺動させることが可能になっている。以下、ルーバ４１の角度を周期的に変更して空調風を揺動させることで、空調風の吹出範囲を所定範囲よりも大きくする吹出モードを拡散揺動モードと呼ぶ。
【００７６】
拡散揺動モードでは、吹出口３０付近における前後方向ＤＲ１の吹出範囲が、通常揺動モード時に比べて前後方向ＤＲ１に拡大する。拡散揺動モード時の空調風の吹出範囲は、拡散吹出モード時の吹出範囲と同等の範囲になっている。拡散揺動モード時には、吹出口３０からの空調風が揺動することで、例えば、図２１に示すように、吹出口３０からの空調風の一部が起立状態のシート１１に着座した乗員の身体の前面部分全体に当たり、残りが乗員の身体に当たらないように流れる。なお、図２０に示すルーバ４１の揺動幅は、一例であって、図２０とは異なる揺動幅に設定されていてもよい。
【００７７】
このように、本実施形態の自動車空調システムは、吹出モードを通常吹出モード、スポット吹出モード、拡散吹出モード、通常揺動モード、拡散揺動モードに切り替えることで、空調風の吹出範囲を変更可能になっている。
【００７８】
次に、本実施形態の制御装置７０が実行する制御処理について図２１を参照して説明する。図２２に示す制御処理は、例えば、自動車１のイグニッションスイッチまたはスタートスイッチがオンされた状態で空調機器２０の運転スイッチがオンされると、制御装置７０によって所定の周期で実行される。なお、図２１に示すステップＳ２２、ステップＳ２４の処理は、図１０に示すステップＳ１４、ステップＳ１２と同様の処理であることから、その説明を簡略化する。
【００７９】
図２２に示すように、制御装置７０は、ステップＳ２０にて、吹出口３０から吹き出される空調風の吹出範囲が所定範囲内であるか否かを判定する。所定範囲は、起立状態となるシート１１に着座した乗員の身体の前面部分全体に向けて空調風が吹き出される吹出範囲に設定されており、例えば、通常吹出モード時および通常揺動モード時の吹出範囲と同等の範囲に設定することができる。
【００８０】
ステップＳ２０の判定処理の結果、空調風の吹出範囲が所定範囲を超えている場合、制御装置７０は、ステップＳ２２にて、空調風の吹出範囲、吹出風量、吹出温度を現状の状態に維持する。
【００８１】
一方、ステップＳ２０の判定処理の結果、空調風の吹出範囲が所定範囲内である場合、制御装置７０は、ステップＳ２４にて、シート状態検出部１２の検出結果に基づいてシート１１が後倒状態であるか否かを判定する。すなわち、制御装置７０は、入力部７０ｃで取得されたシート１１の状態に関する情報が起立状態から後倒状態への変化を示す後倒情報であるか否かを判定する。
【００８２】
ステップＳ２４の判定処理の結果、シート１１が後倒状態ではなく起立状態である場合、制御装置７０は、ステップＳ２２に移行して、空調風の吹出範囲、吹出風量、吹出温度を現状の状態に維持する。
【００８３】
一方、ステップＳ２４の判定処理の結果、シート１１が後倒状態である場合、制御装置７０は、ステップＳ２６にて、空調風を揺動させるか否かを判定する。ステップＳ２６の判定処理では、例えば、シート１１が後倒状態に変化する前の吹出モードが、空調風を揺動させる通常揺動モードである場合に、空調風を揺動させると判定する。
【００８４】
ステップＳ２６の判定処理の結果、空調風を揺動させない場合、制御装置７０は、ステップＳ２８にて、空調風の吹出範囲を所定範囲よりも拡大させるともに、吹出風量を減少させ、さらに、吹出温度を上昇させる。
【００８５】
例えば、制御装置７０は、シート１１が起立状態から後倒状態に変化すると、空調風の吹出モードが通常吹出モードまたはスポット吹出モードから拡散吹出モードに変更されるように駆動部５０を制御する。また、制御装置７０は、シート１１が起立状態から後倒状態に変化すると、後倒状態に変化する前に比べて空調風の吹出風量が減少（例えば、２０％減少）するように空調機器２０を制御する。さらに、制御装置７０は、シート１１が起立状態から後倒状態に変化すると、後倒状態に変化する前に比べて空調風の吹出温度が上昇（例えば、１〜３℃上昇）するように空調機器２０を制御する。
【００８６】
これらにより、空調風は、後倒状態のシート１１に着座した乗員の身体の前面部分全体に当たる。すなわち、シート１１が起立状態から後倒状態に変化した際に、天井部分に設けられた吹出口３０から吹き出される空調風が乗員の身体の広い範囲に当たる。
【００８７】
一方、ステップＳ２６の判定処理の結果、空調風を揺動させる場合、制御装置７０は、ステップＳ３０にて、空調風の吹出範囲を所定範囲よりも拡大させるともに、吹出風量を減少させ、さらに、吹出温度を上昇させる。
【００８８】
例えば、制御装置７０は、シート１１が起立状態から後倒状態に変化すると、空調風の吹出モードが通常揺動モードから拡散揺動モードに変更されるように駆動部５０を制御する。また、制御装置７０は、シート１１が起立状態から後倒状態に変化すると、後倒状態に変化する前に比べて空調風の吹出風量が減少（例えば、２０％減少）するように空調機器２０を制御する。さらに、制御装置７０は、シート１１が起立状態から後倒状態に変化すると、後倒状態に変化する前に比べて空調風の吹出温度が上昇（例えば、１〜３℃上昇）するように空調機器２０を制御する。
【００８９】
ここで、吹出調整機構４０Ａによって空調風の揺動幅を前後方向ＤＲ１に拡大させる場合、空調風の揺動周期が起立状態時と同様であると、空調風を揺動させる速度が早くなってしまう。このことは、乗員の空調フィーリングに影響する虞がある。なお、揺動周期は、吹出調整機構４０Ａによって空調風を前後方向ＤＲ１の一方側から他方側へ揺れ動かすのに要する時間、および空調風を前後方向ＤＲ１の他方側から一方側へ揺れ動かすのに要する時間の合計時間として解釈することができる。
【００９０】
そこで、本実施形態の制御装置７０は、ステップＳ３０にて、空調風の吹出範囲が所定範囲内となるように空調風を揺動させる場合に比べて空調風の揺動周期が長くなるように駆動部５０を制御する。すなわち、制御装置７０は、ステップＳ３０にて、通常揺動モード時に比べて空調風の揺動周期が長くなるように駆動部５０を制御する。
【００９１】
これにより、空調風は、図２３に示すように、後倒状態のシート１１に着座した乗員の身体の前面部分全体に当たる。すなわち、シート１１が起立状態から後倒状態に変化した際に、天井部分に設けられた吹出口３０から吹き出される空調風が乗員の身体の広い範囲に当たる。
【００９２】
その他の構成および作動は、第１実施形態と同様である。本実施形態の自動車用空調システムは、第１実施形態と共通の構成から奏される作用効果を第１実施形態と同様に得ることができる。
【００９３】
本実施形態の自動車用空調システムによれば、シート１１が後倒状態になると、吹出調整機構４０Ａによって空調風の揺動幅が前後方向ＤＲ１に拡大することで、吹出口３０から吹き出される空調風が乗員の身体の広い範囲に当たり易くなる。
【００９４】
加えて、制御装置７０は、ステップＳ３０にて、空調風の吹出範囲が所定範囲内となるように空調風を揺動させる場合に比べて、空調風の揺動周期が長くなるように駆動部５０を制御する。これによれば、空調風の揺動幅を前後方向ＤＲ１に拡大させることに伴う乗員の空調フィーリングへの影響を抑制することができる。この結果、乗員に対して空調風の揺動によるリラックス効果を適切に付与することが可能になる。
【００９５】
（第２実施形態の変形例）
上述の第２実施形態では、ステップＳ２６の判定処理として、シート１１が後倒状態に変化する前に空調風を揺動させている場合に、空調風を揺動させると判定するものを例示したが、これに限定されない。
【００９６】
ステップＳ２６の判定処理は、シート１１が後倒状態に変化する前の吹出モードが空調風を揺動させない吹出モードであっても、空調風を揺動させると判定する処理になっていてもよい。例えば、スポット吹出モードまたは通常吹出モードが長時間継続されている場合、乗員によっては、空調風が煩わしいと感じる人もいる。このため、ステップＳ２６の判定処理は、例えば、スポット吹出モードまたは通常吹出モードが長時間継続されている場合に、空調風を揺動させると判定する処理になっていてもよい。この場合、ステップＳ２６の判定処理の結果、空調風を揺動させる場合、制御装置７０は、空調風の吹出モードがスポット吹出モードまたは通常吹出モードから拡散揺動モードに変更されるように駆動部５０を制御することになる。
【００９７】
また、ステップＳ２６の判定処理は、シート１１が後倒状態に変化する前の吹出モードが空調風を揺動させる吹出モードであっても、空調風を揺動させないと判定する処理になっていてもよい。例えば、通常揺動モードが長時間継続されている場合、乗員によっては、空調風の吹出状態を変更することで気分転換したい人もいる。このため、ステップＳ２６の判定処理は、例えば、通常揺動モードが長時間継続されている場合に、空調風を揺動させないと判定する処理になっていてもよい。この場合、ステップＳ２６の判定処理の結果、空調風を揺動させない場合、制御装置７０は、空調風の吹出モードが通常揺動モードから拡散吹出モードに変更されるように駆動部５０を制御することになる。
【００９８】
上述の第２実施形態では、吹出調整機構４０Ａとして、ルーバ４１によって空調風の風向を変更するとともに空調風を揺動させることが可能なものを例示したが、これに限定されない。吹出調整機構４０Ａは、例えば、ルーバ４１によって空調風を揺動させる揺動専用の機構として構成されていてもよい。
【００９９】
上述の第２実施形態では、吹出調整機構４０Ａによって空調風の揺動幅を前後方向ＤＲ１に拡大させる場合に空調風の揺動周期を長くするものを例示したが、これに限定されない。制御装置７０は、吹出調整機構４０Ａによって空調風の揺動幅を前後方向ＤＲ１に拡大させる場合、例えば、空調風の揺動周期が変化しないように駆動部５０を制御するようになっていてもよい。
【０１００】
（第３実施形態）
次に、第３実施形態について、図２４、図２５を参照して説明する。本実施形態では、吹出調整機構４０Ｂが吹出口３０の開口面積を前後方向ＤＲ１に調整可能に構成されている点が第１、第２実施形態と相違している。本実施形態では、第１、第２実施形態と異なる部分について主に説明し、第１、第２実施形態と同様の部分について説明を省略することがある。
【０１０１】
図２４および図２５に示すように、吹出調整機構４０Ｂは、ルーバ４１に加えて、吹出口３０の開口面積を調整するスライドドア４２を含んで構成されている。スライドドア４２は、吹出口３０の一部を覆うことが可能なように前後方向ＤＲ１に沿って変位可能に構成されている。
【０１０２】
また、駆動部５０は、スライドドア４２を駆動するドア駆動部５１を含んでいる。ドア駆動部５１は、スライドドア４２に接続され、スライドドア４２を任意の位置に調整し、保持することが可能である。ドア駆動部５１は、制御装置７０からの制御信号に応じてその作動が制御される電動アクチュエータで構成されている。
【０１０３】
このように構成される吹出調整機構４０Ｂは、ドア駆動部５１によってスライドドア４２を変位させることで、吹出口３０から吹き出す空調風の吹出範囲を変更することが可能になっている。
【０１０４】
具体的には、図２４に示すように、吹出調整機構４０Ｂは、空調風の吹出範囲が所定範囲内となるようにスライドドア４２を変位させることで、吹出口３０の開口面積を小面積Ｓａ１に設定することが可能になっている。以下、吹出口３０の開口面積を調整して空調風の吹出範囲を所定範囲内とする吹出モードを小開口モードと呼ぶ。なお、図２４に示す吹出口３０の開口面積は、一例であって、図２４とは異なる開口面積に設定されていてもよい。
【０１０５】
小開口モード時には、吹出口３０の開口面積が小さくなることで、ルーバ４１の角度によらず空調風の吹出範囲が所定範囲内の狭い範囲となる。小開口モード時には、例えば、吹出口３０からの空調風が起立状態のシート１１に着座した乗員の身体の前面部分全体に当たる。
【０１０６】
また、図２５に示すように、吹出調整機構４０Ｂは、空調風の吹出範囲が所定範囲よりも大きくなるようにスライドドア４２を変位させることで、吹出口３０の開口面積を小面積Ｓａ１よりも大きい大面積Ｓａ２に設定することが可能になっている。以下、吹出口３０の開口面積を調整して空調風の吹出範囲を所定範囲よりも大きくする吹出モードを大開口モードと呼ぶ。
【０１０７】
大開口モード時には、吹出口３０の開口面積が大きくなることで、空調風の吹出範囲が所定範囲よりも大きい範囲となる。大開口モード時には、例えば、吹出口３０からの空調風が後倒状態のシート１１に着座した乗員の身体の前面部分全体に当たる。なお、図２５に示すルーバ４１の揺動幅は、一例であって、図２５とは異なる揺動幅に設定されていてもよい。
【０１０８】
次に、制御装置７０が実行する制御処理の概略について説明する。制御装置７０は、例えば、空調風の吹出範囲が所定範囲を超えている場合、シート１１の状態によらず、空調風の吹出範囲、吹出風量、吹出温度を現状の状態に維持する。また、制御装置７０は、シート１１が起立状態になっている場合、空調風の吹出範囲によらず、空調風の吹出範囲、吹出風量、吹出温度を現状の状態に維持する。
【０１０９】
一方、制御装置７０は、空調風の吹出範囲が所定範囲内である場合にシート１１が後倒状態になると、空調風の吹出範囲が所定方向よりも大きく、且つ、前後方向ＤＲ１に拡大するように駆動部５０を制御する。例えば、空調風の吹出範囲が所定範囲内である場合にシート１１が後倒状態になると、制御装置７０は、吹出モードが小開口モードから大開口モードとなるように駆動部５０を制御する。
【０１１０】
その他の構成および作動は、第１実施形態と同様である。本実施形態の自動車用空調システムは、第１実施形態と共通の構成から奏される作用効果を第１実施形態と同様に得ることができる。
【０１１１】
本実施形態の自動車用空調システムによれば、シート１１が後倒状態になると、吹出調整機構４０によって吹出口３０の開口面積が前後方向ＤＲ１に拡大することで、吹出口３０から吹き出される空調風が乗員の身体の広い範囲に当たり易くなる。
【０１１２】
加えて、吹出口３０の開口面積を調整して空調風の吹出範囲を変更する構成では、ルーバ４１の角度調整に伴う空調風の圧力損失が生じ難いので、乗員に対して効率のよい空調を提供することが可能となる。
【０１１３】
（第３実施形態の変形例）
上述の第３実施形態では、第１実施形態で説明した自動車用空調システムに対して、吹出口３０の開口面積を調整可能な吹出調整機構４０Ｂを適用したものを例示したが、これに限定されない。第３実施形態の吹出調整機構４０Ｂは、例えば、第２実施形態で説明した自動車空調システムに対しても適用可能である。
【０１１４】
上述の第３実施形態では、吹出調整機構４０Ｂとして、スライドドア４２によって吹出口３０の開口面積を調整するものを例示したが、これに限定されない。吹出調整機構４０Ｂは、例えば、片持ちドア、フィルムドア等の他のドアによって吹出口３０の開口面積を調整する構成になっていてもよい。
【０１１５】
上述の第３実施形態では、吹出調整機構４０Ｂとして、空調風の風向および拡がり幅を変更するルーバ４１を備えるものを例示したが、これに限定されない。吹出調整機構４０Ｂは、例えば、ルーバ４１を有してない構成になっていてもよい。
【０１１６】
（他の実施形態）
以上、本開示の代表的な実施形態について説明したが、本開示は、上述の実施形態に限定されることなく、例えば、以下のように種々変形可能である。
【０１１７】
上述の実施形態では、シート状態検出部１２としてリクライニング角度を検出する角度センサ１２１を例示したが、これに限定されない。シート状態検出部１２は、シート１１が起立状態から後倒状態に変化したことを検出可能なものであれば、角度センサ以外のもので構成されていてもよい。
【０１１８】
シート状態検出部１２は、例えば、シート１１から離れた場所からシート１１の状態または乗員の姿勢を特定可能な画像処理機器等を用いてリクライニング角度を間接的に検出するように構成されていてもよい。シート状態検出部１２を画像処理機器等で構成する場合、乗員の状態検知等の他の用途にも用いることができる。
【０１１９】
また、睡眠に適した環境を提供するためにシート１１の状態を後倒状態に設定する睡眠スイッチが自動車１に設けられている場合、当該睡眠スイッチをシート状態検出部１２として機能させてもよい。睡眠スイッチをシート状態検出部１２として機能させる場合、シート１１の状態検出を簡易に実現することができる。
【０１２０】
なお、シート状態検出部１２は、単一のセンサまたは機器で構成されるものに限らず、複数のセンサまたは機器で構成されていてもよい。この場合、シート１１の状態を精度よく特定することが可能になる。
【０１２１】
上述の実施形態では、空調風の吹出範囲が所定範囲よりも大きく、且つ、シート１１が後倒状態となる場合に、空調風の吹出風量を減少させるものを例示したが、これに限定されない。制御装置７０は、例えば、空調風の吹出範囲が所定範囲よりも大きく、且つ、シート１１が後倒状態となる場合に空調風の吹出風量が変化しないように空調機器２０を制御する構成になっていてもよい。
【０１２２】
上述の実施形態では、空調風の吹出範囲が所定範囲よりも大きく、且つ、シート１１が後倒状態となる場合に、空調風の吹出温度を上昇させるものを例示したが、これに限定されない。制御装置７０は、例えば、空調風の吹出範囲が所定範囲よりも大きく、且つ、シート１１が後倒状態となる場合に空調風の吹出温度が変化しないように空調機器２０を制御する構成になっていてもよい。
【０１２３】
空調機器２０として、温度調整機器２３を備えるものを例示したが、これに限定されない。空調機器２０は、例えば、単に車室内の換気、車室内空気の循環を行うサーキュレータ等で構成されていてもよい。
【０１２４】
上述の実施形態において、センサから自動車１の外部環境情報（例えば車外の湿度）を取得することが記載されている場合、そのセンサを廃し、自動車１の外部のサーバまたはクラウドからその外部環境情報を受信することも可能である。あるいは、そのセンサを廃し、自動車１の外部のサーバまたはクラウドからその外部環境情報に関連する関連情報を取得し、取得した関連情報からその外部環境情報を推定することも可能である。
【０１２５】
上述の実施形態において、実施形態を構成する要素は、特に必須であると明示した場合および原理的に明らかに必須であると考えられる場合等を除き、必ずしも必須のものではないことは言うまでもない。
【０１２６】
上述の実施形態において、実施形態の構成要素の個数、数値、量、範囲等の数値が言及されている場合、特に必須であると明示した場合および原理的に明らかに特定の数に限定される場合等を除き、その特定の数に限定されない。
【０１２７】
上述の実施形態において、構成要素等の形状、位置関係等に言及するときは、特に明示した場合および原理的に特定の形状、位置関係等に限定される場合等を除き、その形状、位置関係等に限定されない。
【０１２８】
（まとめ）
上述の実施形態の一部または全部で示された第１の観点によれば、自動車用空調システムは、空調機器、車室内の天井部分に開口する吹出口、空調風の吹出範囲を調整する吹出調整機構、吹出調整機構を駆動する駆動部、駆動部を制御する制御装置を備える。制御装置は、シートの起立状態における吹出範囲が所定範囲内である場合にシートが起立状態から後倒状態に変化すると、吹出範囲が自動車の前後方向に拡大して所定範囲よりも大きくなるように駆動部を制御する。
【０１２９】
第２の観点によれば、自動車用空調システムの吹出調整機構は、吹出口から吹き出される空調風の拡がり幅を前後方向に調整可能な構成になっている。制御装置は、起立状態における吹出範囲が所定範囲内である場合に起立状態から後倒状態に変化すると、空調風の拡がり幅を前後方向に拡大して吹出範囲が所定範囲よりも大きくなるように駆動部を制御する。
【０１３０】
これによれば、シートが後倒状態になると、吹出調整機構によって空調風の拡がり幅を前後方向に拡大することで、吹出口から吹き出される空調風が乗員の身体の広い範囲に当たり易くなる。
【０１３１】
第３の観点によれば、自動車用空調システムの吹出調整機構は、吹出口から吹き出される空調風の風向を前後方向に揺動させることが可能な構成になっている。制御装置は、起立状態における吹出範囲が所定範囲内である場合に起立状態から後倒状態に変化すると、空調風の揺動幅を前後方向に拡大して吹出範囲が所定範囲よりも大きくなるように駆動部を制御する。
【０１３２】
これによれば、シートが後倒状態になると、吹出調整機構によって空調風の揺動幅が前後方向に拡大することで、吹出口から吹き出される空調風が乗員の身体の広い範囲に当たり易くなる。
【０１３３】
第４の観点によれば、自動車用空調システムの制御装置は、起立状態の吹出範囲が所定範囲内である場合に後倒状態に変化すると、吹出範囲が所定範囲内となるように空調風を揺動させる場合に比べて空調風の揺動周期が長くなるように駆動部を制御する。
【０１３４】
シートが後倒状態になった際に吹出調整機構によって空調風の揺動幅を前後方向に拡大させる場合、空調風の揺動周期が起立状態時と同様であると、空調風を揺動させる速度が早くなってしまう。このことは、乗員の空調フィーリングに影響する虞がある。
【０１３５】
これに対して、シートが後倒状態となって空調風の揺動幅を拡大する際に空調風の揺動周期を長くすれば、空調風の揺動幅を前後方向に拡大させることに伴う乗員の空調フィーリングへの影響を抑制することができる。この結果、乗員に対して空調風の揺動によるリラックス効果を適切に付与することが可能になる。
【０１３６】
第５の観点によれば、自動車用空調システムの吹出口は、前後方向に位置する前壁面および後壁面を有し、前壁面および後壁面の間隔が空調風の流れ下流に向かって拡大されている。これによると、シートが起立状態から後倒状態に変化した際の空調風の圧力損失が抑制されることで、乗員に対して効率のよい空調を提供することが可能となる。
【０１３７】
第６の観点によれば、自動車用空調システムの吹出調整機構は、吹出口の開口面積を調整可能に構成されている。制御装置は、起立状態における吹出範囲が所定範囲内である場合に起立状態から後倒状態に変化すると、開口面積を前後方向に拡大して吹出範囲が所定範囲よりも大きくなるように駆動部を制御する。
【０１３８】
これによれば、シートが後倒状態になると、吹出調整機構によって吹出口の開口面積が前後方向に拡大することで、吹出口から吹き出される空調風が乗員の身体の広い範囲に当たり易くなる。
【０１３９】
第７の観点によれば、自動車用空調システムの制御装置は、起立状態における吹出範囲が所定範囲内である場合に起立状態から後倒状態に変化すると、後倒状態に変化する前に比べて吹出口から吹き出す空調風の吹出風量が減少するように空調機器を制御する。これによると、シートが後倒状態に変化すると、心地のよい微風量の空調風が乗員の身体に当たることになるので、乗員に対してリラックス効果を適切に付与し易くなる。
【０１４０】
第８の観点によれば、自動車用空調システムの制御装置は、起立状態における吹出範囲が所定範囲内である場合に起立状態から後倒状態に変化すると、後倒状態に変化する前に比べて、吹出口から吹き出す空調風の吹出温度が上昇するように空調機器を制御する。これによると、シートが後倒状態に変化すると、心地のよい弱冷風が空調風として乗員の身体に当たることになるので、乗員に対してリラックス効果を適切に付与し易くなる。
【０１４１】
上述の実施形態の一部または全部で示された第９の観点によれば、自動車用空調システムの制御装置は、シートの状態に関する情報を取得する取得部と、取得部で取得した情報に基づいて制御信号を出力する出力部と、を備える。制御装置の取得部は、起立状態から後倒状態への変化を示す後倒情報を取得可能に構成されている。制御装置の出力部は、シートの起立状態における空調風の吹出範囲が所定範囲内である場合に取得部で後倒情報が取得されると、吹出範囲が自動車の前後方向に拡大して所定範囲よりも大きくさせることを指示する制御信号を吹出調整機構の駆動部に出力する。
【符号の説明】
【０１４２】
１        自動車
１１      シート
１１１    シートクッション部
１１２    シートバック部
２０      空調機器
３０      吹出口
４０      吹出調整機構
５０      駆動部
７０      制御装置
【図１】
2020044995.tif 000003
【図２】
2020044995.tif 000004
【図３】
2020044995.tif 000005
【図４】
2020044995.tif 000006
【図５】
2020044995.tif 000007
【図６】
2020044995.tif 000008
【図７】
2020044995.tif 000009
【図８】
2020044995.tif 000010
【図９】
2020044995.tif 000011
【図１０】
2020044995.tif 000012
【図１１】
2020044995.tif 000013
【図１２】
2020044995.tif 000014
【図１３】
2020044995.tif 000015
【図１４】
2020044995.tif 000016
【図１５】
2020044995.tif 000017
【図１６】
2020044995.tif 000018
【図１７】
2020044995.tif 000019
【図１８】
2020044995.tif 000020
【図１９】
2020044995.tif 000021
【図２０】
2020044995.tif 000022
【図２１】
2020044995.tif 000023
【図２２】
2020044995.tif 000024
【図２３】
2020044995.tif 000025
【図２４】
2020044995.tif 000026
【図２５】
2020044995.tif 000027